(57)【要約】【課題】  壁や天井などの屋内設置面に固定した取付部材への照明体の着脱が容易で、部材を損傷させることのない照明器具を提供する。【解決手段】  設置面に固定される取付部材２と、取付部材２に接続する照明体３とを備え、取付部材２は、設置面に対向する面２１１の背面２１２に配設された被接続体２２を有し、照明体３は、取付部材２に対向する面に配設された接続体３４を有し、被接続体２２と接続体３４とが互いに磁着することで、取付部材２に照明体３が接続することを特徴とする。【選択図】  図１
2016031857.tif 000002
【特許請求の範囲】
【請求項１】
設置面に固定される取付部材と、
前記取付部材に接続する照明体とを備え、
前記取付部材は、前記設置面に対向する面の背面に配設された被接続体を有し、
前記照明体は、前記取付部材に対向する面に配設された接続体を有し、
前記被接続体と前記接続体とが互いに磁着することで、前記取付部材に前記照明体が接続することを特徴とする照明器具。
【請求項２】
前記取付部材は、前記設置面に対向する面の背面に、前記照明体に向かって開口する被接続体収容部を有し、前記照明体は、前記取付部材に対向する面に、前記取付部材に向かって開口する接続体収容部を有することを特徴とする請求項１に記載の照明器具。
【請求項３】
前記被接続体収容部の開口部は、前記接続体収容部の開口部より大きいことを特徴とする請求項２に記載の照明器具。
【請求項４】
前記被接続体は、前記被接続体収容部の開口部より内方に窪んで収容されており、前記接続体は、前記接続体収容部の開口部より外方に突出して収容されていることを特徴とする請求項３に記載の照明器具。
【請求項５】
前記接続体収容部の開口部は、前記被接続体収容部の開口部より大きいことを特徴とする請求項２に記載の照明器具。
【請求項６】
前記接続体は、前記接続体収容部の開口部より内方に窪んで収容されており、前記被接続体は、前記被接続体収容部の開口部より外方に突出して収容されていることを特徴とする請求項５に記載の照明器具。
【発明の詳細な説明】
【技術分野】
【０００１】
本発明は、壁や天井などの屋内設置面に取り付けて使用する照明器具に関する。
【背景技術】
【０００２】
従来、壁や天井などの屋内設置面に取り付けて使用する照明器具として、例えば、特許文献１に示すような照明器具が知られている。
【０００３】
この特許文献１に示される照明器具は、ＬＥＤ発光源が実装された基板、本体ベース、点灯回路、カバー、底板、人感センサを主な構成要素とする照明装置と、壁等にネジ止めされる固定器具とを備えている。
【０００４】
照明装置のカバーの縁部には、カバーの表面側から穿設された長尺溝が形成されている。固定器具は、例えば弾性を有する金属からなり、平板部から立設されたアーム板の先端部がＵ字状に折り曲げられ、長尺溝に入り込むように構成されている。
【０００５】
そして、この固定器具のアーム板に照明装置の長尺溝を対応させるように位置付けて、照明装置を固定器具に押しつけることにより、アーム板の弾性力によって照明装置が固定器具に挟持され、固定され、照明器具が設置面に取り付けられた状態となる。
【先行技術文献】
【特許文献】
【０００６】
【特許文献１】特開２０１２−８４３２８号公報
【発明の概要】
【発明が解決しようとする課題】
【０００７】
しかしながら、上記の照明器具においては、照明装置の長尺溝に固定器具のアーム板の先端部が入り込んだ状態で照明装置が固定器具に固定されるため、一度固定された照明装置を固定器具から取り外すには、アーム板を無理やり変形させて長尺溝から引き出さなければならない。そのため、作業性に劣り、また部材が損傷するという問題があった。特に、供給電源として電池を用いる簡便式の照明器具において、電池交換のたびに照明装置の着脱が繰り返し必要となる場合などには、このような作業性の悪さや部材の損傷が大いに問題となる。
【０００８】
本発明は、上記課題を解決するためになされたものであり、壁や天井などの屋内設置面に取り付けて使用する照明器具において、設置面に固定した取付部材への照明体の着脱が容易で、部材を損傷させることのない照明器具を提供することを目的とする。
【課題を解決するための手段】
【０００９】
前記目的を達成するため、本発明の照明器具は、設置面に固定される取付部材と、取付部材に接続する照明体とを備え、取付部材は、設置面に対向する面の背面に配設された被接続体を有し、照明体は、取付部材に対向する面に配設された接続体を有し、被接続体と接続体とが互いに磁着することで、取付部材に照明体が接続することを特徴とする。
【発明の効果】
【００１０】
本発明の照明器具によれば、取付部材の設置面に対向する面の背面に配設された被接続体と、照明体の取付部材に対向する面に配設された接続体とを、互いに当接させるだけで照明体が取付部材に接続されるので、照明体の取付部材への着脱が容易となり、また部材が損傷するのを防止することができる。
【図面の簡単な説明】
【００１１】
【図１】本発明の一実施形態にかかる照明器具の分解斜視図であり、（ａ）は照明体側から見た図、（ｂ）は取付部材側から見た図である。
【図２】図１における取付部材に照明体が接続した状態を示す図である。
【図３】図１における取付部材の平面図である。
【図４】図１における照明体の底面図である。
【図５】図３のＡ−Ａ断面図である。
【図６】図４のＢ−Ｂ断面図である。
【発明を実施するための形態】
【００１２】
以下、本発明の実施形態について、図面を参照して説明する。
【００１３】
図１〜４において、本発明の一実施形態にかかる照明器具１は、壁や天井などの屋内設置面に固定される取付部材２と、この取付部材２に接続して使用される照明体３とを備えている。
【００１４】
取付部材２は、長尺状部材の長手方向の縁部が一方に向けて折り曲げられたコの字状の基体２１を有し、基体２１の折り曲げられた方向と反対の方向に、設置面に対向する面２１１が形成されている。
【００１５】
一方、基体２１の折り曲げられた方向と同一の方向には、設置面に対向する面２１１の背面２１２から突出する第１固定部材収容部２１３、第２固定部材収容部２１４と被接続体収容部２１５が形成されている。
【００１６】
ここで、第１固定部材収容部２１３は、ネジ止めして取付部材２を設置面に固定する場合に使用するもので、第１固定部材収容部２１３の中心に、ネジを収容するための貫通孔が開けられている。
【００１７】
また、第２固定部材収容部２１４は、釘を打ち付けて取付部材２を設置面に固定する場合に使用するもので、第２固定部材収容部２１４の中心に、釘を収容するための貫通孔が開けられている。第２固定部材収容部２１４の貫通孔は、取付部材２の横手方向に平行な方向において、設置面に対向する面２１１の背面２１２から設置面に対向する面２１１に向かうにつれて横手方向一方から他方に近づくように傾斜している。
【００１８】
被接続体収容部２１５は、取付部材２の長手方向両端部にそれぞれ１つずつ配設されており、横手方向一方から他方にわたって形成されている。被接続体収容部２１５の内側には、照明体３に向かって開口する空間が設けられており、この空間に被接続体２２が収容されている。
【００１９】
図５に示すように、被接続体２２は、被接続体収容部２１５の開口部より内方に窪んで収容されており、被接続体収容部２１５の開口部と被接続体２２の上面２２１との間に段差Ｘ１が形成されている。
【００２０】
取付部材２の基体２１は、例えばポリカーボネートのような熱可塑性のプラスチック材料からなり、素材から一体成型して得られる。被接続体２２は磁性体材料からなるものであり、本実施例では鉄板の表面にニッケルメッキを施したものを用いている。
【００２１】
照明体３は、発光部３１、人感センサー部３２と本体ケース３３を有している。発光部３１は、外側が透光性カバー３１１で覆われており、その内側にＬＥＤ発光源が実装された基板や点灯回路などが配設されている。人感センサー部３２は、発光部３１の長手方向一端に隣接して設けられており、人感センサーが長手方向一方からの人体を検知することにより、発光部３１が点灯する。
【００２２】
本体ケース３３は、発光部３１の背面に接続して設けられており、本体ケース３３の長手方向に沿う一方の列に電池収容部３３１が形成され、長手方向に沿う他方の列に接続体収容部３３２が形成されている。
【００２３】
接続体収容部３３２は、本体ケース３３の長手方向両端部にそれぞれ１つずつ配設されており、２つの接続体収容部３３２の中心間を結ぶ距離が、２つの被接続体収容部２１５の中心間を結ぶ距離と同じになるように形成されている。接続体収容部３３２の内側には、取付部材２に向かって開口する空間が設けられており、この空間に接続体３４が収容されている。接続体３４の中心には、貫通孔が開けられており、この貫通孔にネジ部材３５が挿入されている。
【００２４】
図６に示すように、接続体３４は、接続体収容部３３２の開口部より外方に突出して収容されており、接続体収容部３３２の開口部と接続体３４の上面３４１との間に段差Ｘ２が形成されている。また、ネジ部材３５は、接続体３４の上面３４１より内方に窪んで収容されている。
【００２５】
本体ケース３３は、例えばポリカーボネートのような熱可塑性のプラスチック材料からなり、素材から一体成型して得られる。接続体３４は永久磁石からなり、ネジ部材３５は磁性体材料からなる。接続体３４は、ネジ部材３５に磁着し、ネジ部材３５と一体化して接続体収容部３３２に収容されている。
【００２６】
図１〜６において、被接続体収容部２１５の開口部は、接続体収容部３３２の開口部より大きい。ここで、「接続体収容部３３２の開口部よりも被接続体収容部２１５の開口部の方が大きい」とは、接続体収容部３３２の開口部と被接続体収容部２１５の開口部を重ね合わせた場合に、被接続体収容部２１５の開口部に接続体収容部３３２の開口部が含まれうるということを意味している。
【００２７】
このような構成の照明器具１を屋内設置面に取り付けて使用するには、まず取付部材２を設置面に固定する。固定する方法としては、第１固定部材収容部２１３にネジを挿入して設置面にネジをねじ込む方法や、第２固定部材収容部２１４に釘を挿入して設置面に釘を打ち込む方法などがあるが、設置面を傷つけないようにするため、取付部材２の設置面に対向する面２１１を設置面に両面粘着テープなどで接着する方法を用いてもよい。
【００２８】
次に、このようにして設置面に固定した取付部材２に照明体３を接続する。接続するには、基体２１の折り曲げられた縁部に沿って照明体３を取付部材２に挿入し、照明体３の接続体３４を取付部材２の被接続体２２に当接しさえすればよい。これにより、図２に示すような照明器具１が、屋内設置面に取り付くことになる。
【００２９】
本実施形態では、接続体３４が永久磁石からなり、被接続体２２が磁性体材料からなるように構成されているので、接続体３４を被接続体２２に当接するだけで照明体３が取付部材２に接続される。したがって、照明体３の取付部材２への着脱が容易であり、また部材が損傷することが防止される。
【００３０】
ここで、被接続体２２は、被接続体収容部２１５に安定して収容、固定され、また接続体３４は、接続体収容部３３２に安定して収容、固定されていることから、照明体３の取付部材２への着脱の際に、被接続体２２や接続体３４が移動し、損傷することが防止される。
【００３１】
照明体３と取付部材２を位置合わせする場合には、照明体３の横手方向の位置を取付部材２の基体２１の折り曲げられた縁部に合わせる必要があるが、長手方向の位置はある程度の範囲での自由度が許容される。すなわち、接続体収容部３３２の開口部よりも被接続体収容部２１５の開口部の方が大きくなるように構成しているので、長手方向の位置合わせに多少のずれがあったとしても、接続体３４の全面が被接続体２２に当接するので、位置ずれによって接続状態が不安定になることが防止される。
【００３２】
また、被接続体２２が被接続体収容部２１５の開口部より内方に窪んで収容されており、接続体３４が接続体収容部３３２の開口部より外方に突出して収容されていることから、接続体３４の突出した部分が被接続体収容部２１５に収容された状態で、接続体３４の全面が被接続体２２に当接して接続している。そのため、照明体３が取付部材２に接続した状態において、照明体３に長手方向からの力が加わり、接続体３４が長手方向に移動するような場合においても、接続体３４は被接続体収容部２１５に収容されたままであるので、被接続体２２との当接が外れ、照明体３が取付部材２から脱落することが防止される。
【００３３】
図５、６において、接続体収容部３３２の開口部と接続体３４の上面３４１との間の段差Ｘ２は、被接続体収容部２１５の開口部と被接続体２２の上面２２１との間の段差よりも大きくなるように形成されている。これにより、接続体３４の突出した部分が、確実に被接続体２２に当接して、被接続体収容部２１５に収容される。本実施形態においては、Ｘ１が０．４ｍｍであるのに対し、Ｘ２は０．５ｍｍとされている。
【００３４】
以上説明したように、本発明の照明器具によれば、取付部材の設置面に対向する面の背面に配設された被接続体と、照明体の取付部材に対向する面に配設された接続体とを、互いに当接させるだけで照明体が取付部材に接続されるので、照明体の取付部材への着脱が容易となり、また部材が損傷するのを防止することができる。
【００３５】
なお、本発明は上記実施形態に限定されるものではなく、本発明の範囲内で多くの修正および変更を加えることができる。
【００３６】
例えば、上記の実施形態では、被接続体２２に磁性体材料を用い、接続体３４に永久磁石を用いた構成を示したが、これとは逆に、被接続体２２に永久磁石を用い、接続体３４に磁性体材料を用いてもよい。また、被接続体２２、接続体３４の双方を永久磁石としても構わない。
【００３７】
また、上記の実施形態では、被接続体収容部２１５の開口部が接続体収容部３３２の開口部より大きい構成を示したが、これとは逆に、接続体収容部３３２の開口部の方が被接続体収容部２１５の開口部よりも大きくなるようにしてもよい。このような構成であっても、上記の実施形態同様、長手方向の位置合わせに多少のずれがあったとしても、接続体３４の全面が被接続体２２に当接するので、位置ずれによって接続状態が不安定になることが防止される。そして、この場合には、接続体３４が接続体収容部３３２の開口部より内方に窪んで収容されるようにし、被接続体２２が被接続体収容部２１５の開口部より外方に突出して収容されるようにすればよい。
【符号の説明】
【００３８】
１  照明器具
２  取付部材
２１  基体
２１１  設置面に対向する面
２１２  背面
２１３  第１固定部材収容部
２１４  第２固定部材収容部
２１５  被接続体収容部
２２  被接続体
３  照明体
３１  発光部
３１１  透光性カバー
３２  人感センサー部
３３  本体ケース
３３１  電池収容部
３３２  接続体収容部
３４  接続体
３４１  上面
３５  ネジ部材
【図１】
2016031857.tif 000003
【図２】
2016031857.tif 000004
【図３】
2016031857.tif 000005
【図４】
2016031857.tif 000006
【図５】
2016031857.tif 000007
【図６】
2016031857.tif 000008